(57)【要約】【課題】クリープによる変形を防止し、クリック力の低下を抑えることのできるダイヤル構造を提供する。【解決手段】デジタルカメラ２は、前カバー４と後カバー５とから構成される。後カバー５には、モード選択ボタン２０とクリック発生ユニット４０とが回転自在に取り付けられる。モード選択ボタン２０には、ムービーマーク２０ａ、再生マーク２０ｂ、カメラマーク２０ｃ、マクロマーク２０ｄ、設定マーク２０ｅが所定ピッチで設けられている。クリック発生ユニット４０は、樹脂製のホルダ４１と、弾性変形する薄板金属からなるアーム４２と、樹脂製のクリック部４３とから構成され、インサート成形により一体に形成される。後カバー５のクリック孔５ａ〜５ｅにクリック部４３のクリック挿入部４３ａが挿入される。モード選択ボタン２０が回転操作されると、アーム４２が変形する。【選択図】　　　　図３
2004127090.tif 000002
【特許請求の範囲】
【請求項１】
回転操作されるダイヤルボタンとクリック発生手段とを有し、クリック止めされるダイヤル構造において、
前記クリック発生手段は、クリック用のクリック孔が設けられ、前記ダイヤルボタンを回転自在に装着するフレームと、
前記ダイヤルボタンと係合し、ダイヤルボタンに連動するホルダと、
前記ホルダに取り付けられ、前記ダイヤルボタンを回転操作させたときに弾性変形するアームと、
前記アームに取り付けられ、前記ダイヤルボタンを回転操作させたときに前記クリック孔によりクリック止めされるクリック突起とからなり、
前記アームを金属から構成したことを特徴とするダイヤル構造。
【請求項２】
前記フレームとホルダとクリック突起とを樹脂から構成したことを特徴とする請求項１記載のダイヤル構造。
【請求項３】
前記ホルダとアームとクリック突起とをインサート成形により一体に形成したことを特徴とする請求項２記載のダイヤル構造。
【請求項４】
前記ホルダとアームとクリック突起とを熱溶着により一体に形成したことを特徴とする請求項２記載のダイヤル構造
【発明の詳細な説明】
【０００１】
【発明の属する技術分野】
本発明は、ダイヤルボタンを操作して電子機器を動作させるダイヤル構造に関するものである。
【０００２】
【従来の技術】
【特許文献１】
特開２０００−９９１７８号公報
【０００３】
クリック感を持たせてダイヤルを操作するダイヤル構造が、例えば特許文献１などで提案されている。このダイヤル構造では、回転操作されるダイヤルノブと、このダイヤルノブの回転操作に伴ってクリックを発生させるクリック発生手段とを備え、クリック発生手段がダイヤルノブを回転操作する際にその回転角度に応じてクリック感を変化させるように構成されている。
【０００４】
【発明が解決しようとする課題】
しかしながら、特許文献１のダイヤル構造では、ダイヤルノブに設けられたクリック発生手段がクリックを発生させるための凹凸を持つ被当接面と、その被当接面に当接される当接部材とからなり、被当接面及び当接部材の一方がダイヤルノブ側に設けられ、ダイヤルノブの回転操作に伴ってクリックを発生させているが、被当接面及び当接部材が樹脂製のものが用いられる場合には、高温環境下でダイヤルノブを近接する２つのクリック位置の中間に配置されると、クリープによりダイヤルノブが永久変形してしまい、クリック力が弱くなってしまうという問題があった。
【０００５】
本発明は、上記課題を解決するためのものであり、クリープによる変形を防止し、クリック力の低下を抑えることのできるダイヤル構造を提供することを目的とする。
【０００６】
【課題を解決するための手段】
上記目的を達成するために、本発明のダイヤル構造は、回転操作されるダイヤルボタンとクリック発生手段とを有し、クリック止めされるダイヤル構造において、前記クリック発生手段は、クリック用のクリック孔が設けられ、前記ダイヤルボタンを回転自在に装着するフレームと、前記ダイヤルボタンと係合し、ダイヤルボタンに連動するホルダと、前記ホルダに取り付けられ、前記ダイヤルボタンを回転操作させたときに弾性変形するアームと、前記アームに取り付けられ、前記ダイヤルボタンを回転操作させたときに前記クリック孔によりクリック止めされるクリック突起とからなり、前記アームを金属から構成したことを特徴とする。なお、前記フレームとホルダとクリック突起とを樹脂から構成することが好ましい。また、前記ホルダとアームとクリック突起とをインサート成形または熱溶着により一体に形成することが好ましい。
【０００７】
【発明の実施の形態】
図１及び図２は、本発明を実施したデジタルカメラ２の外観斜視図である。デジタルカメラ２は、前カバー４と後カバー５とから構成される。デジタルカメラ２の前面には、撮影レンズ６が組み込まれたレンズ鏡筒７、対物側ファインダ窓８、被写体に向けてストロボ光を照射するストロボ発光部９等が設けられている。
【０００８】
レンズ鏡筒７は、デジタルカメラ２が電源オフ状態にある際に、デジタルカメラ２の前面に設けられた鏡筒収納部１０内に収納され、ムービーモード、カメラモード等の撮影モードオンとともにデジタルカメラ２の前面から突出する。
【０００９】
図１に示すように、デジタルカメラ２の上面には、シャッタレリーズ操作に用いられるシャッタボタン１１が設けられている。また、デジタルカメラ２の側面には、メモリカード１３がセットされるメモリカードスロット１４が設けられている。このメモリカードスロット１４の奥には、メモリカード１３へのデータの読み書きを行なうメモリカードリーダが内蔵されている。メモリカードスロット１４は、塵芥の侵入等を防止するために、開閉式の保護カバー１５によって保護されている。
【００１０】
デジタルカメラ２には、バッテリ１６がセットされるバッテリ室が設けられている。デジタルカメラ２の底面には、バッテリ室にアクセスするための開口部１７が設けられている。この開口部１７は、蓋部材１８によって開閉される。バッテリ室には、充電可能なバッテリ１６がセットされる。
【００１１】
図２に示すように、後カバー５には、接眼側ファインダ窓１９、モード選択ボタン２０、ディスプレイ表示用のディスプレイボタン２１、デジタルカメラ２設定用のバックボタン２２、ＯＫボタン２３、ズームを行うズームボタン２４、ストロボ発光用のストロボボタン２５、ビューファインダとして機能する画像表示用ＬＣＤ２６等が設けられている。
【００１２】
デジタルカメラ２は、動画の撮影を行うムービーモードと、撮影した画像データを画像表示用ＬＣＤ２６の画像表示に再生表示する再生モードと、静止画の撮影を行うカメラモードと、近距離撮影を行うマクロモード、デジタルカメラ２の設定を行う設定モードとを備える。このため、図３に示すように、モード選択ボタン２０には、ムービーマーク２０ａ、再生マーク２０ｂ、カメラマーク２０ｃ、マクロマーク２０ｄ、設定マーク２０ｅが所定ピッチで設けられている。
【００１３】
後カバー５には、クリック孔５ａ〜５ｅと、モード選択ボタン２０の挿入時に位置決めするための位置決め凹５ｆと、モード選択ボタン２０挿入用の挿入孔５ｇと、選択モード確認用のモード確認凹５ｈとが設けられている。各クリック孔５ａ〜５ｅは、各モードに応じて所定ピッチで設けられている。デジタルカメラ２は、モード選択ボタン２０が回転操作されると、各マーク２０ａ〜２０ｅのうち、確認凹５ｈの横に位置されるマークのモードがオンされる。
【００１４】
図３及び図４に示すように、モード選択ボタン２０は、クリック発生ユニット４０により後カバー５に回転自在に取り付けられる。モード選択ボタン２０の表面には、所定ピッチで複数設けられた突起３１、各マーク２０ａ〜２０ｅが設けられるマーク凹３２が形成されている。モード選択ボタン２０の後面には、挿入孔５ｇに挿入するための挿入リブ３３、クリック発生ユニット４０との取り付け用の取り付けリブ３４、クリック発生手段４０と位置合わせするための鍵状の位置合わせボス３５、位置決め凹５ｆに挿入される位置決めピン３６が形成されている。挿入リブ３３と取り付けリブ３４とは、それぞれ３個設けられている。取り付けリブ３４は、クリック発生ユニット４０に取り付けるために、先端にフック部３４ａが形成されている。
【００１５】
図３及び図４に示すように、クリック発生ユニット４０は、樹脂製のホルダ４１と、弾性変形する薄板金属からなるアーム４２と、樹脂製のクリック部４３とから構成され、インサート成形により一体に形成されている。インサート成形として、樹脂製のホルダ４１とクリック部４３とを成形する金型に、アーム４２を所定の位置に挿入して成形することにより、ホルダ４１、アーム４２、クリック部４３が一体に形成される。
【００１６】
ホルダ４１には、位置合わせボス３５が挿入される位置合わせ凹４１ａ、取り付けリブ３４が挿入される取り付け孔４１ｂ、スイッチ入力用のピン４１ｃ，４１ｄが設けられている。クリック部４３には、後カバー５の各クリック孔５ａ〜５ｅに挿入されるクリック挿入部４３ａが設けられている。位置合わせ凹４１ａは、位置合わせボス３５の形状に対応して鍵孔形状をしている。取り付け孔４１ｂは３個設けられている。図５ａは、図２のＡ−Ａ断面図の組み立て前の断面図であり、図５ｂは、組み立て後の断面図である。
【００１７】
図４に示すように、後カバー５の内面には、モードスイッチ４６、４７、４８が設けられている。各モードスイッチ４６〜４８は、モード選択ボタン２０が回転操作されると、ホルダ４１のピン４１ｃ、ピン４１ｄによりスイッチ入力のオン／オフが行われ、デジタルカメラ２の各モードをオンする。各モードスイッチ４６〜４８、メモリ４９は、デジタルカメラ２全体を制御するＣＰＵ５０に接続される。メモリ４９は、各モードスイッチ４６〜４８のオン／オフの組み合わせに応じてオンするモードの情報が記憶されている。
【００１８】
図６は、本発明のデジタルカメラ２の電気的構成を示すブロック図であり、詳しくは図示しないが、レンズ鏡筒７の背後には、撮影レンズを透過した被写体光が撮像されるＣＣＤ５１が配置されている。ＣＣＤ５１から出力された信号は、相関二重サンプリング回路（ＣＤＳ）５２に入力され、ＣＣＤ５１の各セルの蓄積電荷量に正確に対応したＲ、Ｇ、Ｂの画像データとして出力される。ＣＤＳ５２から出力された画像データは、増幅器（ＡＭＰ）５３で増幅され、Ａ／Ｄ変換器５４でデジタルデータに変換される。
【００１９】
画像入力コントローラ５５は、データバス５６を介してＣＰＵ５０に接続されており、ＣＰＵ５０の命令によってＣＣＤ５１，ＣＤＳ５２，ＡＭＰ５３，Ａ／Ｄ変換器５４を制御する。また、Ａ／Ｄ変換器５４から出力された画像データをビデオメモリ５７、あるいはバッファメモリ５８に書き込む。
【００２０】
ビデオメモリ５７は、画像表示用ＬＣＤ２６をビューファインダとして使用する際に、解像度の低い画像データが一時的に記録される。ビデオメモリ５７に記録された画像データは、データバス５６を介してＬＣＤドライバ５９に送られ、画像表示用ＬＣＤ２６に表示される。バッファメモリ５８は、撮像された高解像度の画像データが一時的に記録される。このバッファメモリ５８から読み出された画像データは、メディアコントローラ６０によって駆動制御されるメモリカードリーダによりメモリカード１３に記録される。
【００２１】
次に、本実施形態の作用について説明する。図３及び図４に示すように、モード選択ボタン２０を後カバー５に取り付ける。この時、位置決めピン３６を位置決め凹５ｆに挿入することで、モード選択ボタン２０は位置決めされる。次に、後カバー５の内側面から、クリック発生ユニット４０を取り付ける。この時、位置合わせ凹４１ａを位置合わせボス３５に挿入することで、クリック発生ユニット４０は位置決めされる。そして、３個の取り付けリブ３４が３個の取り付け孔４１ｂにそれぞれ挿入され、フック部３４ａによりモード選択ボタン２０とクリック発生ユニット４０とが、後カバー５を挟みこんだ状態で回転自在に取り付けられる。
【００２２】
図２に示すように、デジタルカメラ２は、モード選択ボタン２０のムービーマーク２０ａがモード確認凹５ｈの横に位置される状態では、ホルダ４１のピン４１ｃによりモードスイッチ４６がオンされる。ＣＰＵ５０はメモリ４９に記憶されたオンモード情報によりムービーモードをオンする。この時、クリック挿入部４３ａは、クリック孔５ａに挿入されている。
【００２３】
図７に示すように、モード選択ボタン２０を反時計方向に回転操作し、再生マーク２０ｂをモード確認凹５ｈの横に位置させると、ピン４１ｃによりモードスイッチ４７が、ピン４１ｄによりモードスイッチ４６がそれぞれオンされる。ＣＰＵ５０は、メモリ４９に記憶されたオンモード情報により再生モードをオンする。この際、クリック挿入部４３ａは、挿入されていたクリック孔５ａから反時計方向の隣のクリック孔５ｂに移動される。
【００２４】
ムービーモードの状態からモード選択ボタン２０を反時計方向に回転操作して再生モードに切り換える場合には、図８ａに示すようになクリック挿入部４３ａがクリック孔５ａに挿入された状態から、図８ｂに示すように、クリック挿入部４３ａが後カバー５の平面部５ｉを移動する。その際、アーム４２は変形した状態で移動される。そして、図８ｃに示すように、クリック孔５ｂにクリック挿入部４３ａが挿入され、再生モードがオンされる。アーム４２は、弾性変形する薄板金属から構成されるから、図８ｂのようなモード切り換え途中の状態で高温環境下で放置されても、永久変形することがなく、クリック力の低下を抑えることができる。
【００２５】
同様にして、モード選択ボタン２０を反時計方向に回転操作し、カメラマーク２０ｃをモード確認凹５ｈの横に位置させると、クリック挿入部４３ａはクリック孔５ｃに挿入され、ピン４１ｃによりモードスイッチ４８が、ピン４１ｄによりモードスイッチ４７がそれぞれオンされる。ＣＰＵ５０は、メモリ４９に記憶されたオンモード情報によりカメラモードをオンする。モード選択ボタン２０を反時計方向に回転操作し、マクロマーク２０ｄをモード確認凹５ｈの横に位置させると、クリック挿入部４３ａはクリック孔ｄに挿入され、ピン４１ｄによりモードスイッチ４８がオンされる。ＣＰＵ５０は、メモリ４９に記憶されたオンモード情報によりマクロモードをオンする。モード選択ボタン２０を反時計方向に回転操作し、設定マーク２０ｅをモード確認凹５ｈの横に位置させると、クリック挿入部４３ａはクリック孔５ｅに挿入され、各モードスイッチ４６〜４８は全てオフになる。ＣＰＵ５０は、メモリ４９に記憶されたオンモード情報により設定モードをオンする。
【００２６】
なお、上記実施形態では、樹脂製のホルダ４１と、弾性変形する薄板金属からなるアーム４２と、樹脂製のクリック部４３とをインサート成形により一体に形成したが、熱溶着により一体に形成してもよい。また、これ以外の方法でも、一体に形成できる方法であればよい。
【００２７】
また、上記実施形態では、ムービーモード、再生モード、カメラモード、マクロモード、設定モードの５つのモードから構成し、これに対応して後カバー５に５個のクリック孔５ａ〜５ｅを設けたが、これらモード及びクリック孔の個数は適宜変更してもよい。
【００２８】
さらに、上記実施形態ではデジタルカメラの例について説明したが、本発明は、デジタルビデオカメラ、ＣＤプレイヤ等の各種電子機器に実施することができる。
【００２９】
【発明の効果】
以上説明したように、本発明のダイヤル構造によれば、クリック発生手段は、クリック用のクリック孔が設けられ、ダイヤルボタンを回転自在に装着するフレームと、ダイヤルボタンと係合し、ダイヤルボタンに連動するホルダと、ホルダに取り付けられ、ダイヤルボタンを回転操作させたときに弾性変形するアームと、アームに取り付けられ、ダイヤルボタンを回転操作させたときに前記クリック孔によりクリック止めされるクリック突起とからなり、前記アームを金属から構成したから、アームが永久変形することがなく、クリック力の低下を抑えることができる。また、フレームとホルダとクリック突起とを樹脂から構成するから、樹脂同士の摺動となり、摺動により削れることがない。さらに、ホルダとアームとクリック突起とをインサート成形または熱溶着により一体に形成することにより、より一層安定してクリック力を保つことができる。
【図面の簡単な説明】
【図１】本発明を実施したデジタルカメラの前面外観斜視図である。
【図２】本発明を実施したデジタルカメラのムービーモード時の背面外観斜視図である。
【図３】後カバーとダイヤル構造との構成を示す分解図である。
【図４】後カバーとダイヤル構造との構成を示す分解図である。
【図５】後カバーとダイヤル構造との構成を示す断面図である。
【図６】本発明を実施したデジタルカメラの電気的構成を示すブロック図である。
【図７】本発明を実施したデジタルカメラの再生モード時の背面外観斜視図である。
【図８】後カバーとアームとクリック部との構成を示す断面図である。
【符号の説明】
２　デジタルカメラ
４　前カバー
５　後カバー
５ａ〜５ｅ　クリック孔
５ｆ　位置決め凹
５ｇ　挿入孔
５ｈ　モード確認凹
５ｉ　平面部
２０　モード選択ボタン
２０ａ　ムービーマーク
２０ｂ　再生マーク
２０ｃ　カメラマーク
２０ｄ　マクロマーク
２０ｅ　設定マーク
３１　突起
３２　マーク凹
３３　挿入リブ
３４　取り付けリブ
３４ａ　フック部
３５　位置合わせボス
３６　位置決めピン
４０　クリック発生ユニット
４１　ホルダ
４１ａ　位置合わせ凹
４１ｂ　取り付け孔
４１ｃ，４１ｄ　ピン
４２　アーム
４３　クリック部
４３ａ　クリック挿入部
【図１】
2004127090.tif 000003
【図２】
2004127090.tif 000004
【図３】
2004127090.tif 000005
【図４】
2004127090.tif 000006
【図５】
2004127090.tif 000007
【図６】
2004127090.tif 000008
【図７】
2004127090.tif 000009
【図８】
2004127090.tif 000010